(57)【要約】【課題】インパクトが強く、着色性、意外性、演出性、携行性等に優れた表示機能を有する照光表示体を提供する。【解決手段】透明基板（Ｂ）と所望の文字図柄層を含む積層体を有し、前記積層体が、（１）マンセル表示系明度１〜９．５の、任意に選択された着色顔料をベタ印刷した層、（２）メジウムを配合した白色顔料をベタ印刷した層、および（３）シルバーメタリック顔料で所望の文字図柄をヌキ印刷した層、の順で構成され、かつ前記（３）層側には光源Ｌを配置し、前記（１）層側を視認側Ｅとする表示体であって、前記光源が消光時には前記文字図柄が隠蔽されており、照光時には前記文字図柄が表示されるように、前記（２）層における白色顔料に対するメジウムの配合割合が前記（１）層の選択色に応じて設定されてなる照光表示体（Ｓ）。光源Ｌには導光板方式を採用できる。【選択図】　　図１
2004045529.tif 000002
【特許請求の範囲】
【請求項１】
透明基板と所望の文字図柄層を含む印刷積層体を有し、
前記積層体が、（１）マンセル表示系明度１〜９．５の、任意に選択された着色顔料をベタ印刷した層、（２）メジウムを配合した白色顔料をベタ印刷した層、および（３）シルバーメタリック顔料で所望の文字図柄をヌキベタ印刷した層、の順で構成され、かつ前記（３）層側に光源を配置し、前記（１）層側を視認側とする表示体であって、
前記光源が消光時には前記文字図柄が隠蔽されており、照光時には前記文字図柄が表示されるように、前記（２）層における白色顔料に対するメジウムの配合割合が前記（１）層の選択色に応じて設定されていることを特徴とする照光表示体。
【請求項２】
前記透明基板としてアクリル板を用い、前記光源が前記アクリル板の端面より光を導入する導光板方式による面光源であって、当該アクリル板上に視認側から順に、前記（１）層、（２）層および（３）層を積層してなり、かつ前記（１）層上に光拡散シートを、前記アクリル板の背面に光反射シートを積層してなる請求項１記載の照光表示体。
【請求項３】
前記（１）層が黒色顔料のベタ印刷層であり、前記（２）層がメジウムを白色顔料１重量部に対し１〜８重量部の割合で配合してなる顔料でベタ印刷した層であることを特徴とする請求項１記載の照光表示体。
【請求項４】
前記（１）層が白色顔料のベタ印刷層であり、前記（２）層がメジウムを白色顔料１重量部に対し１〜８重量部の割合で配合してなる顔料でベタ印刷した層であることを特徴とする請求項１記載の照光表示体。
【請求項５】
前記（１）層が赤色顔料のベタ印刷層であり、前記（２）層がメジウムを白色顔料１重量部に対し１〜８重量部の割合で配合してなる顔料でベタ印刷した層であることを特徴とする請求項１記載の照光表示体。
【請求項６】
前記（１）層が黄色顔料のベタ印刷層であり、前記（２）層がメジウムを白色顔料１重量部に対して１〜４重量部の割合で配合してなる顔料でベタ印刷した層であることを特徴とする請求項１記載の照光表示体。
【請求項７】
前記（１）層が青色顔料のベタ印刷層であり、前記（２）層がメジウムを白色顔料１重量部に対して１〜３重量部の割合で配合してなる顔料で文字図柄をベタ印刷した層であることを特徴とする請求項１記載の照光表示体。
【請求項８】
前記（１）層が緑色顔料のベタ印刷層であり、前記（２）層がメジウムを白色顔料１重量部に対して１〜２．６重量部の割合で配合してなる顔料で文字図柄をベタ印刷した層であることを特徴とする請求項１記載の照光表示体。
【発明の詳細な説明】
【０００１】
【発明の属する技術分野】
本発明は、照光表示体に関し、さらに詳しくはたとえば宣伝表示、装飾表示、案内表示、標識表示、警告表示、意思表示、交通表示等の各種表示体であって、内側から照光したときに意図する表示を視認できるように構成した照光表示体に関する。
【０００２】
【従来の技術】
宣伝表示、装飾表示、案内表示、標識表示、警告表示、意思表示、交通表示等の目的のために、各種多様な表示体が街頭、建物、乗り物等に数多く設置されており、その表示方法にはアピール度を高くするために様々な工夫がなされている。表示媒体としては、夜間においても表示可能であるように、電光などの光源を利用するタイプが最も広く普及している。この光源表示体は、ネオンサインのように表示自体を光源体で作製するタイプと、印刷等で作成された表示体に光源照射して表示性を高めるタイプに分かれている。
【０００３】
光源照射するタイプとしては、材料表面に作成された表示内容を単に外側から光源照射するものと、光透過性の材料に印刷等で作成された表示内容を内側から光源照射するものとがある。後者の光源表示体の例としては、たとえば建物における非常口や自動車の運転席におけるインストルメントパネルの表示があげられる。本願発明は、この後者タイプに属する新規な表示体に関するものである。
従来の、内側から光源照射するタイプの場合、照射をしないときであっても外側からの昼光や通常の照明により、その表示内容を鮮明ではないにしてもある程度は視認可能である。内側からの光源照射は、通常、夜間照明や昼間における照度増強のために行われている。
【０００４】
ところで、日常生活において、言葉や態度とは別の手段により、メッセージを相手方に確実に伝えたい状況になることがしばしばある。例えば、自動車の運転中、他の車列に割り込みや追い越しをしようとするときその意思を確実に伝える表示手段があれば非常に便利であり、安全上からも望ましい。そして、それらの運転が叶えられたあとで後続協力車に謝意を表わすメッセージを伝える手段があれば、運転者間でよいコミュニケーションを図ることができる。今のところ、ハザードやウインカーを用いて行うことが多いが、地域などによって表わし方が異なることもあって、スムーズな意思伝達になっていない。今日の世相においては、クラクションを鳴らして警告したことが原因となり、当事者間に重大なトラブルを引き起こすこともまれではなく、適切な意思伝達手段が要望されている。
【０００５】
また、自動車の流れの中を、バイクや自転車で走行するとき、安全上たえず緊張を強いられるが、そのような状況において、右折や左折などの意思を自動車運転者に確実に伝えたいという場合も多い。しかしながら、現在のところ、上のような状況下でタイムリーに意思伝達ができる使用簡便な表示体（表示器）は開発されていないのが実情である。
【０００６】
【発明が解決しようとする課題】
前述のように、これまでの光照射表示体は、内側からの光照射がなくてもある程度は常時見えることから、実際にその表示目的を達しようとする場面において内側照射しても、見る者に対する印象度が甚だ弱い、ということがしばしば起る。たとえば、緊急警告表示の場合、普段からその表示を見慣れていれば、実際の必要時におけるアピール度が弱くなる。これに対して、普段は見えずとも、緊急事態になったときにタイムリーに表示できれば、見る者に対するインパクト度が強く、表示目的を達し易い。また、今のところ機能的な車載用あるいは携帯用表示体は開発されていない。本発明は、上記の目的に適った照光表示体を提供しようとするものである。
【０００７】
【課題を解決するための手段】
本発明者は、上記の課題を解決するために、表示体の構成手段について種々検討を重ねた結果、本発明の照光表示体を完成したものである。
すなわち、本発明は、以下の照光表示体に関するものである。
１）透明基板と所望の文字図柄層を含む積層体を有し、
前記積層体が、（１）マンセル表示系明度１〜９．５の、任意に選択された着色顔料をベタ印刷した層、（２）メジウムを配合した白色顔料をベタ印刷した層、および（３）シルバーメタリック顔料で所望の文字図柄をヌキベタ印刷した層、の順で構成され、かつ前記（３）層側には光源を配置し、前記（２）層側を視認側とする表示体であって、
前記光源が消光時には前記文字図柄が隠蔽されており、照光時には前記文字図柄が表示されるように、前記（２）層における白色顔料に対するメジウムの配合割合が前記（１）層の選択色に応じて設定されていることを特徴とする照光表示体。
【０００８】
２）前記透明基板としてアクリル板を用い、前記光源が前記アクリル板の端面より光を導入する導光板方式による面光源であって、当該アクリル板上に視認側から順に、前記（１）層、（２）層および（３）層を積層してなり、かつ前記（１）層上に光拡散シートを、前記アクリル板の背面に光反射シートを積層してなる上記１〕項記載の照光表示体。
３）前記（１）層が黒色顔料のベタ印刷層であり、前記（２）層がメジウムを白色顔料１重量部に対し１〜８重量部の割合で配合してなる顔料でベタ印刷した層であることを特徴とする上記１）項記載の照光表示体。
【０００９】
４）前記（１）層が白色顔料のベタ印刷層であり、前記（２）層がメジウムを白色顔料１重量部に対し１〜８重量部の割合で配合してなる顔料でベタ印刷した層であることを特徴とする上記１）項記載の照光表示体。
５）前記（１）層が赤色顔料のベタ印刷層であり、前記（２）層がメジウムを白色顔料１重量部に対し１〜８重量部の割合で配合してなる顔料でベタ印刷した層であることを特徴とする上記１）項記載の照光表示体。
【００１０】
６）前記（１）層が黄色顔料のベタ印刷層であり、前記（２）層がメジウムを白色顔料１重量部に対して１〜４重量部の割合で配合してなる顔料でベタ印刷した層であることを特徴とする上記１）項記載の照光表示体。
７）前記（１）層が青色顔料のベタ印刷層であり、前記（２）層がメジウムを白色顔料１重量部に対して１〜３重量部の割合で配合してなる顔料で文字図柄をベタ印刷した層であることを特徴とする上記１）項記載の照光表示体。
【００１１】
８）前記（１）層が緑色顔料のベタ印刷層であり、前記（２）層がメジウムを白色顔料１重量部に対して１〜２．６重量部の割合で配合してなる顔料で文字図柄をベタ印刷した層であることを特徴とする上記１）項記載の照光表示体。
本発明の照光表示体は、前記（１）、（２）および（３）の各層の積層順序よりなり、（３）層側に配置した光源をオン−オフに切り替えることにより、オフ状態すなわち消光（消灯）下では（３）層の文字図柄が隠蔽されているが、オンに切り替えたときすなわち照光（点灯）することによってはじめて視認可能なように映し出され、表示機能を発揮する。そのときの文字図柄は、（１）層で選択した着色顔料に着色されて表示される。
【００１２】
このように、光源をオン−オフ切り替えに対応して、文字図柄を表示−隠蔽に切り替えることができるのは、（１）層で選択した着色顔料（色の種類）に応じて、（２）層における白色顔料に対するメジウムの配合割合を設定することによって叶えられる。その選択した色と、白色顔料に対するメジウムの配合割合との関係は、例えば上記３）〜８）項に記載の実施態様で示される。
前記２）項の照光表示体は、透明基板を利用してそこに導光板方式による面光源を採用した態様であり、コンパクトな表示体に仕上げることができるので、表示対象が拡大され、携行・携帯にも適する。
【００１３】
【発明の実施の形態】
以下、本発明の実施の形態を詳細に説明する。
本発明の照光表示体Ｓの構成例を、図１（ａ）、（ｂ）の模式断面図を参酌しながら説明する。
図１（ａ）は、その一構成例を示し、Ｅは文字図柄を視認する側を、Ｂは透明基板を、（１）層はマンセル表示系明度１〜９．５の、任意の着色顔料をベタ印刷した層を、（２）層はメジウムを配合した白色顔料をベタ印刷した層を、（３）層はシルバーメタリック顔料で所望の文字図柄をヌキベタ印刷した層を、Ｌは光源をそれぞれ示す。この例は、光源Ｌが前記（３）層の後面に配置し、直接バックライトする形態を示す。透明基板Ｂは、この図では（１）層の外側に位置した例であり、（１）〜（３）層の印刷層を外側の環境（雨や日差しなど）から保護することができるので有利である。しかし、透明基板Ｂはこの位置に限らず、（１）層と（２）層の間あるいは（２）層と（３）層の間に位置させても表示機能には支障はない。
【００１４】
図１（ｂ）は、本発明の照光表示体Ｓを示す他の構成例であり、透明基板Ｂとしてアクリル板（Ａ）を用いて、該アクリル板の端面より光を導入する導光板方式による面光源を採用した例を示す。ここで、視認側から見たときの前記（１）、（２）および（３）層の積層順序は、図１（ａ）におけると同じである。光源Ｌは冷陰極管であり、これをオンにしたときにその光がアクリル板に設けた反射ドットにより反射して面光源となり、（３）、（２）および（１）層を通過して、所望の文字図柄を表示する。導光板方式による照光を効率的するために背面に光反射シートＲを貼付もしくはセットし、また前面には反射ドットを見えないようにするために光拡散シートＤを貼付もしくはセットする。
【００１５】
［透明基板Ｂ］
透明基板は、本発明の照光表示体における印刷媒体であると同時に、支持体としての機能面も有し、さらに照光に導光板方式を採用するときは導光板としての機能も有する。材質は基本的に光透過性であればよく無色透明からつや消し状態の材質を含む。一般には、印刷性に優れ、耐熱性、耐水性のある合成樹脂製基板が好ましく、ポリカーボネート製フィルムやアクリル樹脂製の板上のものが挙げられる
透明基板の厚みは、目的とする表示体によって異なってくるが、通常は０．１〜８ｍｍ程度の範囲から選択する。例えば、導光板方式を採用するときの透明基板は、その端面から照光する関係上、厚みは光源の厚みよりもやや大きいものが用いられるが、通常は５ｍｍ付近の厚みのアクリル（樹脂）板が適当である。一方、導光板方式を採用しないときは、ポリカーボネート製フィルムが繁用され、その具体例としては、米国ゼネラル・エレクトリック社が開発したレキサンフィルム（Ｌｅｘａｎ　Ｆｉｌｍ、商品名）があげられる。
【００１６】
［光源Ｌと照光方式］
本発明の照光表示体は、光源Ｌがオフのときは文字図柄が隠蔽されており、表示を必要とするときに光源Ｌをオンしてバックライトすることにより、所望の文字図柄を、マンセル表示明度１〜９．５の任意の色に着色して表示するものである。光源Ｌには、タングステン電球、蛍光管（熱陰極管、冷陰極管）、あるいは赤、黄あるいは緑の発光ダイオード（ＬＥＤ）などを、どのような照光方式を採用するかによって適宜決定する。
【００１７】
図１（ａ）のように後面から照光する方式では、原則としてどのような光源でもよく、その照光装置自体は、従来公知のものを援用することができる。この照光方式は、透明基板Ｂを導光板とする導光板方式に比べて、大型の固定型全表示体に適する。
次に、導光板方式による照光は、アクリ板を導光板としてこの端面（エッジ）より光を導入し、この光がアクリル板の中を全反射しながら進んでいくうちに、アクリル板に加工された反射ドットに当たって向きを変え、全反射角より小さくなった成分の光がアクリルの表面に出てくる現象を用いるものであり（図４参照）、この方式自体は公知である。本発明の照光表示体において、導光板方式を採用するときは、図１（ｂ）に示したように、反射ドットを施した反対面に前記（３）、（２）および（１）層を順次、積層する。
導光板の光源Ｌとしては、細経の特殊な蛍光管、冷陰極管、ＬＥＤ、電球などが用いられる。このときの光源Ｌは、導光板の厚みの範囲に入るサイズを選択すれば、平面上一体化された表示体とすることができる。
【００１８】
導光板は、アクリル板（透明基板Ｂ）に、反射ドットをスクリーン印刷法により塗布する方法やアクリル板の射出成形の際に、型に加工した反射ドットにより、アクリル本体と反射ドットを一体に成形する方法、によって導光板の機能が付与されたものが用いられる。反射ドットは、面全体が均一に発光するように、グラデーションパターンに従って作製される。光反射シートは、光の利用効率を上げるために用いられ、導光板（透明基板Ｂ）の後面（内側面）と、光導入する以外の端面にセットされる。光拡散シートは、より均一な面発光および導光板の前面（正面）から見たときに反射ドットを拡散して見えなくする目的でセットされる。本発明の照光表示体は、導光板方式を採用することにより、小型で携行・携帯に適したものとすることができる。
【００１９】
［（１）層］
この層は、マンセル表示系明度１〜９．５であることを前提条件に、（３）層の表示対象である文字図柄を任意の着色状態で表示するために、その目的に応じた選択された着色顔料をベタ印刷した層である。色の種類は、赤色、黄色および青色の３原色をはじめとして、黒色、白色や、あるいは３原色を任意に調色して得られる混色をその表示目的に応じて選択できる。具体的な選定にあたっては、（社）日本塗料工業会発行の「塗料用標準色見本帳」により所望の色票番号を選択すれば、それに対応して調色された顔料を入手することができる。この場合、選択した色は、マンセル表示値の明度（１〜９．５）、色相および純度の三属性で表示され、さまざまな色調を選択することができる。なお、マンセル表示値における明度０は、一点色であり、色相および純度を変える余地はない。
【００２０】
［（２）層］
この層は、メジウムを配合した白色顔料をベタ印刷した層であるが、その配合割合は、消光下において（３）層が（１）層に映らないようにすることを目的に設定される。前記（１）層で選択した着色顔料と、（２）層における白色顔料に対するメジウムの配合量との関係を、次に例示する。
前記（１）層が赤色顔料のベタ印刷層であるときには、前記（２）層はメジウムを白色顔料１重量部に対して１〜８重量部の割合で配合してなる顔料でベタ印刷する。
【００２１】
前記（１）層が黄色顔料のベタ印刷層であるときには、前記（２）層はメジウムを白色顔料１重量部に対して１〜４重量部の割合で配合してなる顔料でベタ印刷する。
前記（１）層が青色顔料のベタ印刷層であるときには、前記（２）層はメジウムを白色顔料１重量部に対して１〜３重量部の割合で配合してなる顔料でベタ印刷する。
【００２２】
前記（１）層が緑色顔料のベタ印刷層であるときには、前記（２）層はメジウムを白色顔料１重量部に対して１〜２．６重量部の割合で配合してなる顔料ベタ印刷する。
前記（１）層が黒色顔料のベタ印刷層であるときには、前記（２）層はメジウムを白色顔料１重量部に対し１〜８重量部の割合で配合してなる顔料でベタ印刷する。前記（１）層が白色顔料のベタ印刷層であるときには、前記（２）層がメジウムを白色顔料１重量部に対し１〜８重量部の割合で配合してなる顔料でベタ印刷する。
【００２３】
上記の範囲よりもメジウム量が少ないときは、照光しても目的とする文字図柄が表示されず、逆にこの範囲を超えてメジウム量を多く配合すると消光下においても文字図柄が視認できるようになり、本発明で意図する表示体とすることができない。上記以外の選択色についても、照光下と消光下の状態をみながら、白色顔料に対するメジウム配合量の範囲を設定することができる。
［（３）層］
この層は、シルバーメタリック顔料を用いて、表示目的とする所望の文字図柄部分を、（２）層を背景にヌキベタ印刷した層である。ここでいう、所望の文字図柄は、宣伝表示、装飾表示、案内表示、標識表示あるいは警告表示などあらゆる表示内容を意図するものであって、文字、数字、記号、マーク、模様、絵あるいはイラストなどにより任意に表される。
【００２４】
この文字図柄層は、シルバーメタリック顔料を用いて、たとえばスクリーン印刷またはオフセット印刷により、所望の文字図柄部分をヌキ印刷し、それ以外の部分をシルバーメタリック顔料ベタ印刷することにより形成できる。シルバーメタリック顔料は印刷インキ用顔料であれば特に限定されないが、一般に有機顔料が好ましい。アルミニウム粉末顔料にメジウムを配合して調製されるが、このときのメジウム量は光の透過を阻止でき、かつ印刷するときに剥がれ落ちないような割合が選択される。例えば、アルミニウム粉末顔料３重量部に対し、メジウム量を１０重量部程度にすると適当であることが多い。
【００２５】
［積層体の形成］
本発明の照光表示体は、視認する側から、所望の着色顔料層（１）、メジウムを配合した白色顔料層（２）、および文字図柄層（３）の順で積層印刷されているものである。ここで、導光板方式を採用するときは、透明基板Ｂ（導光板）の反射ドットを施した面の反対面に、（３）、（２）および（１）層の順に積層印刷する［視認側からは、（１）、（２）および（３）の順となる］。一方、導光板方式を採用しないときは、（１）層または（３）層のいずれか外側か、あるいは場合によっては（１）層と（２）層の間、もしくは（２）層と（３）層の間に配置することができる。通常は、前記した理由により、印刷積層体が保護されるように視認側に最も近い位置に配置し、その内側に（１）、（２）および（３）の順に積層印刷するのが有利である。この場合、（３）層のヌキベタ印刷は裏印刷となる。
【００２６】
積層印刷は、従来公知の方法に従って、スクリーン印刷あるいはオフセット印刷などを採用できるが、とりわけスクリーン印刷が好ましい。
以上のようにして、本発明の照光表示用積層体を作製することができる。
［表示体としての利用］
本発明の照光表示体は、前記したように、照光によってはじめて文字図柄が視認可能となることから、見る者に対してその文字図柄を強くアピールする効果がある。従って、宣伝表示、装飾表示、案内表示、標識表示、警告表示、意思表示交通表示などあらゆるパネル表示体として利用できる。以下に、具体的な使用形態を例示するが、もちろんこれらに限定されるものではない。
【００２７】
（交通表示）
自動車を運転中、先行車を追い越したいときや、側道から優先道路に入るときの割り込みの意思を、他車に伝える表示体として使用することができる。その例を、図２に示す（実施例２参照）。この照光表示体は、図２（ａ）の正面図に示されるとおり、上下の二段より成っており、上段を構成する表示体においてその（３）層は「いれて下さい」とする文言と感嘆符のイラストをヌキ印刷し、下段を構成する表示体においてその（３）層は「ありがとう」とする文言とハートマークのイラストをヌキ印刷し、それらをメッセージとして伝達するための照光表示体とする。
【００２８】
この表示体を自動車の適当な箇所に備えておき、割り込み運転を望む状況において、まず「いれて下さい」とする表示体を点灯し、対象車にその意思を伝達する。そして、割り込みの譲歩がなされた時点では、「ありがとうございます」とする表示体を点灯して、感謝の気持ちを伝達する。このようにすれば、運転者間の意思疎通が極めてスムーズになり、安全面にも寄与できる。
同様にして、運転初心者の車には「免許取り立てです」や「お先にどうぞ」、幼児を乗せている車には「赤ちゃんが乗っています」や「お先にどうぞ」、身体に障害のある人が乗っている車には「身体に障害があります」や「お先にどうぞ」、割れ物運搬車には「われもの運搬中です」や「お先にどうぞ」などの表示体を備えることが可能である。
【００２９】
同じく交通関係の表示体として、バイクや自転車で走行するに際しては、「右折」、「左折」、「停止」などの意思を主として周囲の自動車の運転者に伝える表示体に利用することができる。このような表示体を、例えばヘルメットや上衣に付けておいて、必要なときに表示すれば、バイクや自転車の安全走行に有用である。
（警告・案内表示）
例えば、台風や大雨、大雪の到来を告げるための、緊急時用表示に利用すれば、アピ−ル度の高い表示体とすることができる。
【００３０】
（その他の表示体）
・検眼表：従来の検眼表では、検査記号がパネル表面に作成されており、被検査者は検査前に見ることができる。従って、検査時に検査記号の記憶が残ることや意図的に記憶しておくこともできる。本発明を利用して、文字図柄層を検査記号にすれば、検査前（照光前）に記憶することを排除でき、正確な視力検査が可能である。
【００３１】
・文字学習表：幼児が文字を学習するときに、本発明における消光時に非視認、照光時に視認という機能を利用すれば、繰返し学習に便利であり、また文字に対する印象度も強くなる。
・ゲーム表：照光と消光を操作することにより、当てっこゲーム等に利用できる。
【００３２】
【実施例】
実施例１
（「火の用心」のための警告表示体の作製例）
透明基板として、ポリカーボネート製フィルム（ゼネラル・エレクトリック社製、商品名：レキサンフィルム８０１０、厚み０．１８ｍｍ）を用いた。このフィルム面に、（１）層目として赤色顔料［（社）日本塗料工業会発行の塗料標準色見本の色票番号：７．５Ｒ４／１４、明度４に相当する赤色顔料］を、スクリーン印刷（機種；ミノＭＨＰ型）によって、総ベタ印刷した。その上に（２）層目として白色顔料１重量部にメジウムを重量部を配合した顔料を同じくスクリーン印刷により総ベタ印刷を行った。次いで、（２）層上に、（３）層としてシルバーメタリック顔料を用いて、「火の用心」の文字と火のイラストをヌキベタ印刷した（図３）。
【００３３】
なお、本実施例において、インキ顔料、メジウムおよびつや消し剤は、次の市販品を用いた。
赤色顔料：十条ケミカル（株）製のＮｏ．８０７を使用した。
白色顔料：十条ケミカル（株）製のＮｏ．８０１を使用した。
メジウム：十条ケミカル（株）製のＮｏ．８００を使用した。
シルバーメタリック顔料：十条ケミカル（株）製のアルミペーストファインを使用した。
【００３４】
上記の各印刷積層体は、（３）層側から照光することによって「火の用心」の文字をイラスト入りで、赤色で明瞭に表示（映し出す）することができた。一方、積層側からの照光がないときは、外側からの照明がなされているときであってもパネル全面が赤色を呈しており、「火の用心」の文字とイラストは隠蔽されおり視認することができなかった。
実施例２
アクリル板（Ａ）（縦６０ｍｍ、横２２ｍｍ、厚み５ｍｍ）の一方の面に、チタン白（ＴｉＯ２）を用いてスクリーン印刷により、反射ドット（直径６ｍｍ）を約２ｍｍ間隔で印刷し、そのドット印刷面に光反射シートＲ（「ＫＩＭＯＴＯレフホワイトＲａ１８８」）をセットして導光板とした。
【００３５】
次に、アクリル板の他方の面にシルバーメタリック顔料（アルミ粉末３重量部とメジウム１０重量部）を用いて、図２（ａ）に示すように、「いれてください」との文字と感嘆符の図柄をスクリーン印刷によりヌキベタ印刷した［（３）層］。乾燥後、この上に、白色顔料（十条ケミカル製の「ＰＡＳ　Ｎｏ．８０１」）１重量部にメジウム（十条ケミカル製の「ＰＡＳＮｏ．８００」）１重量部を配合した顔料をベタ印刷した［（２）層］。さらに、その上に白色顔料（十条ケミカル製の「ＰＡＳ　Ｎｏ．８０１」）をベタ印刷した［（１）層］。この（１）層上に、光拡散シートＤ（ＫＩＭＯＴＯ　ライトアップ１００ＬＳＥ）をセットし、照光表示体を作製した。
【００３６】
上記と同様の方法により、図２（ａ）の下側に示すように、「ありがとうございます」の文字とハートマークの図柄をヌキベタ印刷した層を（３）層とする照光表示体を作製した。
この二つの表示体を上下２段に組み合わせて、図２（ｂ）に示すように、それぞれに光源Ｌとしてアクリル板の厚みよりもやや径の小さい冷陰極管を取り付けて、全体が薄い箱状を呈する照光表示体を作製した。図中、Ｒｃは、冷陰極管の光反射板を示す。この表示体は、光源Ｌをオフにしているときは、パネル前面が（１）層で印刷した着色顔料の色を呈しており文字図柄が隠蔽されているが、割り込みの意思表示したいとき、上段の表示体をオンにすればその文字図柄が明瞭に写しだされる。次に、割り込みの後は、２段目の表示体の光源Ｌをオンに切り替えることにより、その文字図柄が映し出される。
【００３７】
【発明の効果】
本発明の照光表示体は、所望の文字図柄を所望の着色状態でパネル上にタイムリーに映し出すことができるという機能を活かして多様な表示体として、たとえば宣伝表示、装飾表示、案内表示、標識表示、警告表示、意思表示、交通表示等において、従来の表示体よりもインパクトのある表示効果を発揮する。
【図面の簡単な説明】
【図１】本発明の照光表示体の模式断面図を表し、図１（ａ）は背面からバックライトする例を、また図１（ｂ）は導光板方式を採用してバックライトする例をそれぞれ示す。
【図２】導光板方式による照光を採用した本発明の照光表示体の例を示し、図２（ａ）は正面図を、図２（ｂ）は横面断面図をそれぞれ表す。
【図３】本発明の照光表示体における文字図柄の一例を示す。
【図４】導光板方式による面光源の原理・構造を示す。
【符号の説明】
Ｓ：照光表示用積層体
Ｂ：透明基板
Ａ：アクリル板
Ｌ：光源
Ｅ：視認側
（１）：マンセル表示系明度１〜９．５の、着色顔料をベタ印刷した層
（２）：メジウムを配合した白色顔料をベタ印刷した層
（３）：シルバーメタリック顔料で所望の文字図柄をヌキ印刷した層
【図１】
2004045529.tif 000003
【図２】
2004045529.tif 000004
【図３】
2004045529.tif 000005
【図４】
2004045529.tif 000006